(57)【要約】【課題】多数の印刷イメージ画像を適切な順番で一覧表示することができる。【解決手段】複数の所定項目毎に、インク色ＩＤと、所定項目におけるインクＩＤの優先度を示す項目別表示優先度とが関連づけられて複数の情報テーブルとして記憶する情報テーブル記憶部１６と、利用者の入力操作に基づいて、複数の情報テーブルの優先順位を示す項目優先度を項目優先度情報として記憶する項目優先度記憶手段１７ａと、複数の情報テーブル及び項目優先度情報に基づいて、インク色の優先順位を示す基本優先度を生成する基本優先度生成手段１１ａと、基本優先度に基づいて、インク色ＩＤの組合せとこの組合せの表示順位とが関連づけられた組合表を生成する表示順位決定手段１１ｂと、組合表に基づいて、インク色ＩＤの組合せにより生成された印刷イメージ画像を、表示順位に基づいて表示手段に表示させる表示制御手段１１ｃとを備える。【選択図】図２
2010076151.tif 000002
【特許請求の範囲】
【請求項１】
複数のインク色のインクを使用して印刷する印刷装置と接続され、前記複数のインク色の組合せに基づいて、印刷イメージを表示する印刷イメージ表示装置であって、
前記インクの使用を決定する上での設定区分となる複数の項目毎に、前記インク色を一意に識別するインク色ＩＤと、前記項目において前記インク色ＩＤに対応するインクのうちいずれを優先させて使用するかを示す項目別表示優先度とを関連づけて、複数の情報テーブルとして記憶する情報テーブル記憶部と、
利用者の入力操作に基づいて、前記複数の情報テーブルのうちいずれを優先させるかを示す項目優先度情報を記憶する項目優先度記憶手段と、
前記複数の情報テーブル及び前記項目優先度情報に基づいて、前記インク色ＩＤに対応するインクのうちいずれを優先させて使用するかを示す基本優先度情報を生成する基本優先度生成手段と、
前記基本優先度情報に基づいて、前記インク色ＩＤの組合せと、この組合せのうちいずれを優先させて使用するかを示す表示順位とが関連づけられた組合表を生成する表示順位決定手段と、
前記表示順位決定手段により生成された組合表に基づいて、前記インク色ＩＤの組合せにより生成された印刷イメージ画像を、前記表示順位に基づいて表示手段に表示させる表示制御手段と、
を備えることを特徴とする印刷イメージ表示装置。
【請求項２】
前記情報テーブル記憶部は、
前記インク色を一意に識別するインク色ＩＤと、前記印刷装置から受信した前記インクのインク残量に基づいて算出された第１の項目別表示優先度とを関連づけて、インク残量情報テーブルとして記憶するインク残量情報テーブル記憶手段と、
前記インク色ＩＤと、予め設定された基準優先度に基づいて算出された第２の項目別表示優先度とを関連づけて、基準インク色情報テーブルとして記憶する基準インク色情報テーブル記憶手段と、
前記利用者毎に、前記インク色ＩＤと前記インク色の使用頻度に基づいて算出された第３の項目別表示優先度とを関連づけて、利用者嗜好情報テーブルとして記憶する利用者嗜好情報テーブル記憶手段と、を有し、
前記項目優先度記憶手段は、
前記利用者の入力操作に基づいて、前記インク残量情報テーブル、前記基準インク色情報テーブル、及び前記利用者嗜好情報テーブルのうちいずれを優先させるかを示す項目優先度情報を記憶し、
前記基本優先度生成手段は、
前記インク残量情報テーブル、前記基準インク色情報テーブル、前記利用者嗜好情報テーブル、及び前記項目優先度情報に基づいて、前記インク色ＩＤに対応するインクのうちいずれを優先させて使用するかを示す基本優先度情報を生成する
ことを特徴とする請求項１記載の印刷イメージ表示装置。
【発明の詳細な説明】
【技術分野】
【０００１】
本発明は、複数のインク色のインクを用いて印刷する印刷装置と接続され、複数のインク色の組合せに基づいて、印刷イメージを表示する印刷イメージ表示装置に関する。
【背景技術】
【０００２】
例えば、一般的な複数色印刷が可能な孔版印刷装置では、孔版印刷装置が印刷可能な複数のインク色の中から、利用者により選択されたインク色のインクを用いて印刷を行う。
【０００３】
このインク色の選択の際、利用者は印刷可能な複数のインク色の中から、印刷物の仕上がり状態をイメージして複数のインク色の組合せを選択するが、多数のインク色の中から選択するので、実際に印刷された印刷物は、利用者がイメージした印刷物どおりとならない場合があった。
【０００４】
そこで、一般的な複数色印刷が可能な孔版印刷装置では、利用者により選択されたインク色の組合せに基づいて生成した印刷イメージ画像を一旦画面上に表示し、利用者が印刷イメージ画像を確認した後、利用者の操作に基づいて、この表示された印刷イメージ画像に対応する画像を印刷していた。
【０００５】
ここで、孔版印刷装置が印刷可能なインク色の数をＮ、印刷するインク色の数をｒとすると、印刷可能なインク色の組合せの数は、以下の数式１で表される。
ｎＰｒ＝ｎ！/（ｎ−ｒ）！  ・・・（数式１）
【０００６】
従来の孔版印刷装置は、上記数式１で表される印刷可能なインク色の組合せの中から、利用者が選択したインク色の組合せに基づいて生成された印刷イメージ画像を画面に表示するので、利用者は気に入った印刷イメージ画像が画面に表示されるまで、インク色の組合せを選び直す必要があり、非常に煩わしかった。
【０００７】
特許文献１には、同一の画像データに基づいて、互いに異なる印刷条件にて各々画像を印刷パターンとして印刷する印刷装置が提案されている。
【０００８】
また、特許文献２には、印刷プレビュー機能の実行指示が入力されると、この実行指示と共に指定された印刷方法にて、印刷プレビュー用画像を生成し、表示する情報処理装置が提案されている。
【特許文献１】特開２００６−３５７０５号公報
【特許文献２】特開２００６−２７７６０５号公報
【発明の開示】
【発明が解決しようとする課題】
【０００９】
しかしながら、特許文献１に記載の印刷装置では、印刷条件が多数ある場合、多数の印刷パターンが順不同で表示されるので、利用者は多数の印刷パターンを全て確認した上で、所望の印刷パターンを選択する必要があり、この確認作業に多大な労力を要していた。
【００１０】
また、特許文献２に記載の情報処理装置においても、同様に、多数の印刷方法がある場合には、多数の印刷プレビュー用画像が順不同で表示されるので、多数の印刷プレビュー用画像を全て確認する必要があった。
【００１１】
本発明は、上記課題に鑑みてなされたものであり、多数の印刷イメージ画像の中から、利用者が所望の印刷イメージ画像を簡単に選択することができるように、印刷イメージ画像を適切な順番で一覧表示することができる印刷イメージ表示装置を提供することを目的とする。
【課題を解決するための手段】
【００１２】
上記目的を達成するため、本発明に係る印刷イメージ表示装置の第１の特徴は、複数のインク色のインクを使用して印刷する印刷装置と接続され、前記複数のインク色の組合せに基づいて、印刷イメージを表示する印刷イメージ表示装置であって、前記インクの使用を決定する上での設定区分となる複数の項目毎に、前記インク色を一意に識別するインク色ＩＤと、前記項目において前記インク色ＩＤに対応するインクのうちいずれを優先させて使用するかを示す項目別表示優先度とを関連づけて、複数の情報テーブルとして記憶する情報テーブル記憶部と、利用者の入力操作に基づいて、前記複数の情報テーブルのうちいずれを優先させるかを示す項目優先度情報を記憶する項目優先度記憶手段と、前記複数の情報テーブル及び前記項目優先度情報に基づいて、前記インク色ＩＤに対応するインクのうちいずれを優先させて使用するかを示す基本優先度情報を生成する基本優先度生成手段と、前記基本優先度情報に基づいて、前記インク色ＩＤの組合せと、この組合せのうちいずれを優先させて使用するかを示す表示順位とが関連づけられた組合表を生成する表示順位決定手段と、前記表示順位決定手段により生成された組合表に基づいて、前記インク色ＩＤの組合せにより生成された印刷イメージ画像を、前記表示順位に基づいて表示手段に表示させる表示制御手段とを備えることにある。
【００１３】
上記目的を達成するため、本発明に係る印刷イメージ表示装置の第１の特徴は、前記情報テーブル記憶部は、前記インク色を一意に識別するインク色ＩＤと、前記印刷装置から受信した前記インクのインク残量に基づいて算出された第１の項目別表示優先度とを関連づけて、インク残量情報テーブルとして記憶するインク残量情報テーブル記憶手段と、前記インク色ＩＤと、予め設定された基準優先度に基づいて算出された第２の項目別表示優先度とを関連づけて、基準インク色情報テーブルとして記憶する基準インク色情報テーブル記憶手段と、前記利用者毎に、前記インク色ＩＤと前記インク色の使用頻度に基づいて算出された第３の項目別表示優先度とを関連づけて、利用者嗜好情報テーブルとして記憶する利用者嗜好情報テーブル記憶手段と、を有し、前記項目優先度記憶手段は、前記利用者の入力操作に基づいて、前記インク残量情報テーブル、前記基準インク色情報テーブル、及び前記利用者嗜好情報テーブルのうちいずれを優先させるかを示す項目優先度情報を記憶し、前記基本優先度生成手段は、前記インク残量情報テーブル、前記基準インク色情報テーブル、前記利用者嗜好情報テーブル、及び前記項目優先度情報に基づいて、前記インク色ＩＤに対応するインクのうちいずれを優先させて使用するかを示す基本優先度情報を生成することにある。
【発明の効果】
【００１４】
本発明に係る印刷イメージ表示装置によれば、多数の印刷イメージ画像の中から、利用者が所望の印刷イメージ画像を簡単に選択することができるように、印刷イメージ画像を適切な順番で一覧表示することができる。
【発明を実施するための最良の形態】
【００１５】
以下、本発明の実施の形態を、図面を参照しながら詳細に説明する。
【００１６】
本発明の一実施形態では、３色のインクの中から２色のインクを用いて印刷可能な印刷装置と、２色のインク色の組合せに基づいて、縮小印刷イメージ画像を表示する印刷イメージ表示装置とを備える印刷システムを例に挙げて説明する。
【００１７】
＜印刷システムの構成＞
図１は、本発明の一実施形態である印刷イメージ表示装置が適用された印刷システムの構成を示した構成図である。
【００１８】
図１に示すように、印刷システム１０は、印刷イメージ表示装置１と、印刷装置２とを備えており、印刷イメージ表示装置１と印刷装置２とは、ネットワーク５を介して接続されている。
【００１９】
印刷イメージ表示装置１は、印刷装置２が印刷可能な３色のインク色から、２色の組合せに基づいて、所定の表示順位で複数の縮小印刷イメージ画像を一覧表示する。そして、一覧表示された複数の縮小印刷イメージ画像の中から、利用者の操作に基づいて選択された縮小印刷イメージ画像に対応する画像データをネットワーク５を介して印刷装置２へ送信する。なお、印刷イメージ表示装置１の構成については、後述する。
【００２０】
印刷装置２は、例えば３色のインクの中から選択された２色のインクを用いて印刷可能な孔版印刷装置であり、製版部２ａと、第１のドラム２ｂと、第２のドラム２ｃと、給紙部２ｄと、中間搬送部２ｅと、排紙部２ｆとを備えている。
【００２１】
印刷装置２は、印刷イメージ表示装置１からネットワーク５を介して画像データを受信すると、この受信した画像データから第１色目の画像データと、第２色目の画像データとを分離する。そして、印刷装置２の製版部２ａは、第１色目の画像データに基づいて第１の孔版原紙を製版し、この製版された第１の孔版原紙を回転する第１のドラム２ｂに巻き付ける。同様に、製版部２ａは、第２色目の画像データに基づいて第２の孔版原紙を製版し、この製版された第２の孔版原紙を回転する第２のドラム２ｃに巻き付ける。
【００２２】
そして、給紙部２ｄにより印刷用紙が回転する第１のドラム２ｂに給紙されると、第１のドラム２ｂに巻き付けられた第１の孔版原紙に印刷用紙が圧接されると共に、第１のドラム２ｂの内部から第１の孔版原紙に第１色目のインクが供給されることにより、第１の孔版原紙に製版された第１の画像が印刷画像として印刷用紙に転写されて中間印刷物が生成される。
【００２３】
次に、第１の画像が転写された中間印刷物は、中間搬送部２ｅにより第２のドラム２ｃに給紙され、回転する第２のドラムに巻き付けられた第２の孔版原紙に中間印刷物が圧接されると共に、第２のドラムの内部から第２の孔版原紙に第２色目のインクが供給されることにより、第２の孔版原紙に製版された第２の画像が印刷画像として中間印刷物に転写される。そして、第２の画像が転写された印刷物３は排出部２ｆにより排出される。これにより、印刷装置２は、２色刷りの印刷物３を生成することができる。
【００２４】
また、印刷装置２は、印刷イメージ表示装置１からの要求に応じて、インクの残量情報やその他印刷装置２の印刷状態等の所定の情報を、ネットワーク５を介して適宜印刷イメージ表示装置１へ送信する。
【００２５】
＜印刷イメージ表示装置１の構成＞
次に、本発明の一実施形態である印刷イメージ表示装置１の構成について詳細に説明する。
【００２６】
図２は、本発明の一実施形態である印刷イメージ表示装置１の構成を示した構成図である。
【００２７】
図２に示すように、印刷イメージ表示装置１は、ＣＰＵ１１と、メモリ１２と、入力部１３と、表示部１４と、印刷インタフェース部１５と、第１のハードディスク１６と、第２のハードディスク１７とを備えており、それぞれは、バス２０を介して接続されている。
【００２８】
メモリ１２は、揮発性半導体等で構成され、ＣＰＵ１１が各種処理を実行する上で必要なプログラムやデータを記憶する。
【００２９】
入力部１３は、マウスやキーボード等の入力部を備えており、利用者の操作により入力信号を生成してＣＰＵ１１へ供給する。
【００３０】
表示部１４は、有機ＥＬ（electroluminescence）ディスプレイや、液晶ディスプレイ等の画像出力部を備え、ＣＰＵ１１から供給された出力信号に基づいて、縮小印刷イメージ画像一覧表示画面等の画面を表示する。
【００３１】
印刷インタフェース部１５は、印刷装置２との接続インタフェースであり、ＣＰＵ１１からの指示により、画像データを印刷装置２へ送信したり、印刷装置２からインク残量情報を受信したりする。
【００３２】
第１のハードディスク１６は、インクの使用を決定する上での設定区分となる３つの項目、即ちインク残量、基準インク、及び利用者嗜好毎に情報テーブルを記憶しており、インク残量情報テーブル記憶部１６ａと、基準インク色情報テーブル記憶部１６ｂと、利用者嗜好情報テーブル記憶部１６ｃとを備えている。
【００３３】
インク残量情報テーブル記憶部１６ａは、インク色を一意に識別するインク色ＩＤと、印刷装置２から受信したインクのインク残量と、このインク残量から算出された項目別表示優先度とを関連づけてインク残量情報テーブルとして記憶する。
図３は、インク残量情報テーブル記憶部１６ａに記憶されたインク残量情報テーブルの一例を示した図である。
【００３４】
図３に示すように、“インク色ＩＤ”（符号１０１）と、“インク残量”（符号１０２）と、“項目別表示優先度”（符号１０３）とが関連づけられて、インク残量情報テーブルとして記憶されている。インク残量１０２は、ＣＰＵ１１により、ネットワーク５を介して印刷装置２から受信したインク残量で適宜更新され、項目別表示優先度１０３は、インク残量１０２が更新される度に、ＣＰＵ１１により、インク残量１０２に基づいて、インク残量が多いほど項目別表示優先度１０３が高くなるように算出され、この算出された値で更新される。
【００３５】
基準インク色情報テーブル記憶部１６ｂは、インク色ＩＤと、インク色名称と、色情報と、予め設定された基準優先度と、この基準優先度に基づいて算出された項目別表示優先度とを関連づけて基準インク色情報テーブルとして記憶する。
図４は、基準インク色情報テーブル記憶部１６ｂに記憶された基準インク色情報テーブルの一例を示した図である。
【００３６】
図４に示すように、“インク色ＩＤ”（符号１０１）と、“インク色名称”（符号２０２）と、“色情報”（符号２０３）と、“基準優先度”（符号２０４）と、“項目別表示優先度”（符号２０５）とが関連づけられて、基準インク色情報テーブルとして記憶されている。
【００３７】
基準優先度２０４は、利用者の入力操作に応じて入力部１３により生成された操作信号に基づいて更新される。そして、項目別表示優先度２０５は、基準優先度２０４が更新される度に、ＣＰＵ１１により、基準優先度２０４に基づいて、基準優先度２０４が高いほど項目別表示優先度２０５が高くなるように算出され、この算出された値で更新される。
【００３８】
利用者嗜好情報テーブル記憶部１６ｃは、利用者毎に、インク色ＩＤと利用者によるインクの使用頻度と、この使用頻度に基づいて算出された項目別表示優先度とを関連づけて利用者嗜好情報テーブルとして記憶する。
【００３９】
図５は、利用者嗜好情報テーブル記憶部１６ｃに記憶された利用者嗜好情報テーブルの一例を示した図である。
【００４０】
図５に示すように、“利用者ＩＤ”（符号３０１）と、“利用者名称”（符号３０２）と、“使用頻度”（符号３０３）と、“項目別表示優先度”（符号３０４）とが関連づけられて、利用者嗜好情報テーブルとして記憶されている。
【００４１】
使用頻度３０３は、ＣＰＵ１１が印刷イメージ表示装置１が印刷装置２に印刷させるための画像データを送信する度に、ＣＰＵ１１により送信した画像データに用いられるインク色ＩＤが積算され、この積算された値で更新される。
【００４２】
項目別表示優先度３０４は、使用頻度３０３が更新される度に、ＣＰＵ１１により、使用頻度３０３が多いほど項目別表示優先度３０４が高くなるように算出され、この算出された値で更新される。
【００４３】
例えば、利用者ＩＤが“ＸＸＸ００１”の“理想太郎”という利用者は、“ＡＡＡ”、“ＢＢＢ”、“ＣＣＣ”の順に使用頻度が高いので、項目別表示優先度３０４は、“ＡＡＡ”、“ＢＢＢ”、“ＣＣＣ”の順に“１”、“２”、“３”の値が記憶される。
【００４４】
第２のハードディスク１７は、その機能上、項目優先度記憶部１７ａと、基本優先度記憶部１７ｂとを備える。
【００４５】
項目優先度記憶部１７ａは、利用者の入力操作に基づいて、インク残量情報、基準インク色情報、及び利用者嗜好情報のうちいずれの項目を優先させるかを示す優先順位を項目優先度情報として記憶する。
【００４６】
具体的には、ＣＰＵ１１は、表示部１４に優先アルゴリズム判定画面を表示させ、利用者操作に基づいて入力部１３により生成された操作信号に基づいて、項目優先度情報を生成し、この生成された項目優先度情報を項目優先度記憶部１７ａに記憶させる。
【００４７】
図６は、表示部１４に表示された優先アルゴリズム判定画面の一例を示した図である。
【００４８】
図６に示すように、優先アルゴリズム判定画面の項目一覧表示領域５０１には、インク残量、基準インク色、及び利用者嗜好の項目が一覧表示されている。そして、利用者は、入力部１３により、項目一覧表示領域５０１に一覧表示された項目のいずれか１つを選択し、上へ釦５０２、又は下へ釦５０３を押下操作すると、ＣＰＵ１１は、この操作に応じて、一覧表示された選択された項目の順位を上げ、又は下げて表示させる。
【００４９】
そして、利用者が、入力部１３により、確認５０４を押下操作すると、ＣＰＵ１１の項目優先度記憶部１７ａは、この操作信号に応じて、項目優先度情報を生成し、この生成された項目優先度情報を項目優先度記憶部１７ａに記憶させる。
図７は、項目優先度記憶部１７ａに記憶された項目優先度情報の一例を示した図である。
【００５０】
図７に示すように、“項目優先度”（符号４０１）と、“項目名”（符号４０２）とが関連づけられて、項目優先度情報として記憶されている。
【００５１】
基本優先度記憶部１７ｂは、後述するＣＰＵ１１の基本優先度生成部１１ａにより生成されたインク色の基本優先度情報を記憶する。
図８は、基本優先度記憶部１７ｂに記憶された基本優先度情報の一例を示した図である。
【００５２】
図８に示すように、“基本優先度インデックス”（符号６０１）と、“インク色ＩＤ”（符号１０１）とが関連づけられて、基本優先度情報として記憶されている。
【００５３】
ＣＰＵ１１は、印刷イメージ表示装置１の中枢的な制御を行う。また、ＣＰＵ１１は、印刷イメージ表示プログラムを実行することにより、その機能上、基本優先度生成部１１ａと、表示順位決定部１１ｂと、表示制御部１１ｃとを実装する。
【００５４】
基本優先度生成部１１ａは、インク残量情報テーブル、基準インク色情報テーブル、利用者嗜好情報テーブル、及び項目優先度情報に基づいて、インク色の優先順位を示す基本優先度情報を生成する。
【００５５】
表示順位決定部１１ｂは、基本優先度情報に基づいて、インク色ＩＤの組合せとこの組合せの表示順位とが関連づけられた組合表を生成する。
【００５６】
表示制御部１１ｃは、表示順位決定部１１ｂにより生成された組合表に基づいて、インク色ＩＤの組合せにより生成された印刷イメージ画像を、表示順位に基づいて表示部１４に表示させる。
【００５７】
＜印刷イメージ表示装置１の作用＞
次に、本発明の一実施形態である印刷イメージ表示装置１の作用について説明する。
【００５８】
≪メインフロー処理≫
本発明の一実施形態である印刷イメージ表示装置１におけるメインフローの処理について説明する。
【００５９】
図９は、本発明の一実施形態である印刷イメージ表示装置１におけるメインフローの処理を示したフローチャートである。
【００６０】
まず、ＣＰＵ１１が、入力部１３から、利用者の入力操作に基づいて生成されたユーザログインを要求する要求信号を受け付け、ログイン認証に成功した場合（ステップＳ１０１）、ＣＰＵ１１の基本優先度生成部１１ａは、基本優先度生成処理を実行する（ステップＳ１０２）。これにより、インク色の基本優先度情報が生成される。なお、この基本優先度生成処理の詳細については、後述する。
【００６１】
次に、ＣＰＵ１１の表示順位決定部１１ｂは、表示順位決定処理を実行する（ステップＳ１０３）。これにより、インク色ＩＤの組合せ毎の表示順位が決定され、このインク色ＩＤの組合せ毎の表示順位を示す組合表が生成される。なお、この表示順位決定処理の詳細については、後述する。
【００６２】
次に、ＣＰＵ１１の表示制御部１１ｃは、表示制御処理を実行する（ステップＳ１０４）。これにより、ステップＳ１０３において生成された組合表に基づいて縮小印刷イメージ画像が生成され、この生成された縮小印刷イメージ画像が、ステップＳ１０３において決定された表示順位で表示部１４に一覧表示される。なお、この表示制御処理の詳細については、後述する。
【００６３】
次に、ＣＰＵ１１は、ステップＳ１０４において一覧表示された縮小印刷イメージ画像のうちいずれか１つが、利用者の操作により選択された場合（ステップＳ１０５）、選択された縮小印刷イメージ画像に対応するフルサイズの画像データをインク色毎に分離して、インク色毎の画像データを生成する（ステップＳ１０６）。
【００６４】
そして、ＣＰＵ１１は、ステップＳ１０６において生成されたインク色毎の画像データを、ネットワーク５を介して印刷装置２へ送信する。（ステップＳ１０７）。
【００６５】
≪基本優先度生成処理≫
本発明の一実施形態である印刷イメージ表示装置１における基本優先度生成処理の処理フローについて説明する。
【００６６】
図１０は、本発明の一実施形態である印刷イメージ表示装置１における基本優先度生成処理の処理フローを示したフローチャートである。
【００６７】
まず、ＣＰＵ１１は、カウンタｉに初期値として“１”を代入した後（ステップＳ２０１）、ＣＰＵ１１の基本優先度生成部１１ａは、第２のハードディスク１７の項目優先度記憶部１７ａから項目優先度情報を読み出す（ステップＳ２０２）。
【００６８】
次に、基本優先度生成部１１ａは、ステップＳ２０２において読み出した項目優先度情報から項目優先度が最も高い項目の情報テーブルを、１番目テーブルとして読み出す（ステップＳ２０３）。図７に示した項目優先度情報の例では、項目優先度が最も高い項目が“基準インク”であるので、基本優先度生成部１１ａは、第１のハードディスク１６の基準インク情報テーブル記憶部１６ｂから基準インク情報テーブルを１番目テーブルとして読み出す。
【００６９】
次に、基本優先度生成部１１ａは、ステップＳ２０２において読み出された１番目テーブルに、項目別表示優先度が同じインク色ＩＤがあるか否かを判定する（ステップＳ２０４）。図４に示した基準インク情報テーブルの例では、インク色ＩＤ“ＡＡＡ”の項目別表示優先度２０５の値と、インク色ＩＤ“ＣＣＣ”の項目別表示優先度２０５の値とが同一であるので、項目別表示優先度が同じインク色ＩＤがあると判定する。
【００７０】
ステップＳ２０４において、項目別表示優先度が同じインク色ＩＤがないと判定された場合、基本優先度生成部１１ａは、１番目テーブルに基づいて、基本優先度情報を生成する（ステップＳ２０８）。
【００７１】
一方、ステップＳ２０４において、項目別表示優先度が同じインク色ＩＤがあると判定された場合、基本優先度生成部１１ａは、カウンタｉの値をインクリメントした後（ステップＳ２０５）、項目優先度が次に高い項目の情報テーブルを、ｉ番目テーブルとして読み出す（ステップＳ２０６）。例えば、カウンタｉの値が“２”の場合、図７に示した項目優先度情報の例では、項目優先度が２番目に高い項目が“インク残量”であるので、基本優先度生成部１１ａは、第１のハードディスク１６のインク残量情報テーブル記憶部１６ａからインク残量情報テーブルを２番目テーブルとして読み出す。
【００７２】
そして、基本優先度生成部１１ａは、（ｉ―１）番目テーブルにおける項目別表示優先度が同じインク色ＩＤについて、ｉ番目テーブルに、項目別表示優先度が同じインク色ＩＤがあるか否かを判定する（ステップＳ２０７）。例えば、２番目テーブルとしてインク残量情報テーブルが読み出された場合、１番目テーブルである基準インク情報テーブルにおける項目別表示優先度が同じインク色ＩＤは“ＡＡＡ”及び“ＣＣＣ”であるので、基本優先度生成部１１ａは、読み出されたインク残量情報テーブルに基づいて、インク色ＩＤ“ＡＡＡ”及び“ＣＣＣ”の項目別表示優先度が同じであるか否かを判定する。
【００７３】
図３に示したインク残量情報テーブルの例では、インク色ＩＤ“ＡＡＡ”の項目別表示優先度１０３の値と、インク色ＩＤ“ＣＣＣ”の項目別表示優先度１０３の値とが同一であるので、項目別表示優先度が同じインク色ＩＤがあると判定する。
【００７４】
ステップＳ２０７において、ｉ番目テーブルに、項目別表示優先度が同じインク色ＩＤがあると判定された場合、ステップＳ２０５に処理を移行し、カウンタｉの値をインクリメントした後、項目優先度が次に高い項目の情報テーブルを、ｉ番目テーブルとして読み出す（ステップＳ２０６）。例えば、カウンタｉの値が“３”の場合、図７に示した項目優先度情報の例では、項目優先度が３番目に高い項目が“利用者嗜好”であるので、基本優先度生成部１１ａは、第１のハードディスク１６の利用者嗜好情報テーブル記憶部１６ｃから利用者嗜好情報テーブルを３番目テーブルとして読み出す。
【００７５】
そして、基本優先度生成部１１ａは、（ｉ―１）番目テーブルにおける項目別表示優先度が同じインク色ＩＤについて、ｉ番目テーブルに、項目別表示優先度が同じインク色ＩＤがあるか否かを判定する（ステップＳ２０７）。
【００７６】
例えば、３番目テーブルとして利用者嗜好情報テーブルが読み出された場合、２番目テーブルであるインク残量情報テーブルにおける項目別表示優先度が同じインク色ＩＤは“ＡＡＡ”及び“ＣＣＣ”であるので、基本優先度生成部１１ａは、読み出された利用者嗜好情報テーブルに基づいて、インク色ＩＤ“ＡＡＡ”及び“ＣＣＣ”の項目別表示優先度が同じであるか否かを判定する。
【００７７】
図５に示した利用者嗜好情報テーブルの例では、図９に示したメインフローのステップＳ１０１においてユーザログインされた利用者の利用者ＩＤが“ＸＸＸ００３”である場合、インク色ＩＤ“ＡＡＡ”の項目別表示優先度３０４の値は“３”であり、インク色ＩＤ“ＣＣＣ”の項目別表示優先度３０４の値は“１”であるので、基本優先度生成部１１ａは、項目別表示優先度が同じインク色ＩＤはないと判定する。
【００７８】
次に、ステップＳ２０７において、ｉ番目テーブルに、項目別表示優先度が同じインク色ＩＤがないと判定された場合、基本優先度生成部１１ａは、１〜ｉ番目テーブルに基づいて、基本優先度情報を生成する（ステップＳ２０８）。
【００７９】
具体的には、基本優先度生成部１１ａは、カウンタｉの値が“１”、即ちステップＳ２０４において、１番目テーブルに項目別表示優先度が同じインク色ＩＤがないと判定された場合、１番目テーブルに基づいて、基本優先度情報を生成する。
【００８０】
また、例えば、カウンタｉの値が“３”の場合、１番目テーブル、２番目テーブル、及び３番目テーブルに基づいて、基本優先度情報を生成する。図３〜図５，図７に示した例では、１番目テーブルである基準インク情報テーブルにおいて、インク色ＩＤ“ＢＢＢ”の項目別表示優先度が“１”であり、インク色ＩＤ“ＡＡＡ”及び“ＣＣＣ”の項目別表示優先度が“２”であるので、基本優先度生成部１１ａは、基本優先度の最も高いインク色ＩＤを、“ＢＢＢ”として決定する。そして、２番目テーブルであるインク残量情報テーブルにおいて、インク色ＩＤ“ＡＡＡ”及び“ＣＣＣ”の項目別表示優先度が共に“２”であり、３番目テーブルである利用者嗜好情報テーブルにおいて、インク色ＩＤ“ＡＡＡ”の項目別表示優先度が“１”であり、インク色ＩＤ“ＣＣＣ”の項目別表示優先度が“３”であるので、インク色ＩＤ“ＢＢＢ”の次に、基本優先度が高いインク色ＩＤは、“ＡＡＡ”であり、インク色ＩＤ“ＡＡＡ”の次に、基本優先度が高いインク色ＩＤは、“ＣＣＣ”として決定する。
【００８１】
このようにして、基本優先度生成部１１ａは、インク残量情報、基準インク色情報、利用者嗜好情報、及び項目優先度情報に基づいて、インク色の基本優先度情報を生成する。
【００８２】
≪表示順位決定処理≫
本発明の一実施形態である印刷イメージ表示装置１における表示順位決定処理の処理フローについて説明する。
【００８３】
図１１は、本発明の一実施形態である印刷イメージ表示装置１における表示順位決定処理の処理フローを示したフローチャートである。
【００８４】
まず、ＣＰＵ１１は、第２のハードディスク１７の基本優先度記憶部１７ｂから基本優先度情報を読み出す（ステップＳ３０１）。
【００８５】
次に、ＣＰＵ１１は、対象設定列カウンタｉに初期値として“１”を代入した後（ステップＳ３０２）、基本優先度インデックスＣに初期値として“１”を代入する（ステップＳ３０３）。
【００８６】
次に、ＣＰＵ１１の表示順位決定部１１ｂは、対象設定列カウンタｉの値が１以上か否かを判定する（ステップＳ３０４）。
【００８７】
ステップＳ３０４において、対象設定列カウンタｉの値が１未満であると判定した場合、表示順位決定部１１ｂは、ステップＳ３０１において読み出された基本優先度情報に基づいて、第１列目に基本優先度インデックスＣが示すインク色ＩＤを（ｎ−１）！個、第１色目インク色ＩＤとして設定し中間組合表を生成する（ステップＳ３０５）。ここで、印刷装置２が印刷可能なインク色数を“ｎ”とする。例えば、図８に示した例では、基本優先度インデックスＣの値が“１”のインク色ＩＤは“ＢＢＢ”であり、ｎの値は“３”であるので、インク色ＩＤ“ＢＢＢ”を２｛＝（３−１）！｝個、第１色目インク色ＩＤとして設定する。
【００８８】
次に、表示順位決定部１１ｂは、基本優先度インデックスＣをインクリメントした後、基本優先度インデックスＣがｎ以上となるまで、ステップＳ３０５〜Ｓ３０６の処理を、繰り返し実行する。
【００８９】
これにより、表示順位決定部１１ｂは、図１２に示すような、表示順位７０１と第１色目インク色ＩＤ７０２とが関連付けられた中間組合表を生成する。ここで、第１色目インク色ＩＤ７０２を１列目とし、第２色目インク色ＩＤ７０２を２列目とする。
【００９０】
一方、ステップＳ３０４において、対象設定列カウンタｉの値が１以上であると判定された場合、表示順位決定部１１ｂは、中間組合表のｉ列目より左側の列に基本優先度インデックスＣが示すインク色ＩＤが設定されているか否かを判定する（ステップＳ３０８）。
【００９１】
ステップＳ３０８において、中間組合表のｉ列目より左側の列に基本優先度インデックスＣが示すインク色ＩＤが設定されていないと判定された場合、表示順位決定部１１ｂは、ステップＳ３０１において読み出された基本優先度情報に基づいて、基本優先度インデックスＣが示すインク色ＩＤを、中間組合表のｉ列目に（ｎ−ｉ）！個設定する（ステップＳ３０９，Ｓ３１０）。ここでは、ｎは、“３”であるので、例えば、中間組合表の２列目を設定する場合、表示順位決定部１１ｂは、基本優先度インデックスＣが示すインク色ＩＤを、２列目に１｛＝（３−２）！｝個設定する。
【００９２】
一方、ステップＳ３０８において、ｉ列目より左側の列に基本優先度インデックスＣが示すインク色ＩＤが設定されていると判定された場合、基本優先度インデックスＣの値をインクリメントした後（ステップＳ３１１）、基本優先度インデックスＣの値がｎ以上か否かを判定する（ステップＳ３１２）。
【００９３】
次に、表示順位決定部１１ｂは、中間組合表のｉ列目について、全ての行にインク色ＩＤを設定したか否かを判定する（ステップＳ３１３）。
【００９４】
ステップＳ３１３において、中間組合表のｉ列目について、全ての行にインク色ＩＤを設定したと判定された場合、対象設定列カウンタｉの値をインクリメントした後（ステップＳ３１４）、対象設定列カウンタｉの値が、選択されるインク色数ｒ以上であるか否かを判定し（ステップＳ３１５）、対象設定列カウンタｉの値が、選択されるインク色数ｒ以上であると判定された場合、表示順判定処理を終了する。
【００９５】
このように、表示順位決定部１１ｂは、全ての列において、基本優先度情報に基づいてインク色ＩＤを設定することにより、インク色ＩＤの組合せの表示順位を示す組合表を生成する。
【００９６】
図１３は、表示順位決定部１１ｂにより生成された組合表の一例を示した例である。
【００９７】
図１３に示すように、“表示順位”（符号７０１）と、“第１インク色ＩＤ”（符号７０２）と、“第２インク色ＩＤ”（符号７０３）とが関連づけられている。
【００９８】
以上のように、表示順位決定部１１ｂは、基本優先度情報に基づいて、インク色ＩＤの組合せの表示順位を示す組合表を生成するので、利用者が選択する可能性の高いインク色の組合せほど表示順位が早くなることとなる。
【００９９】
≪表示制御処理≫
本発明の一実施形態である印刷イメージ表示装置１における表示制御処理の処理フローについて説明する。
【０１００】
図１４は、本発明の一実施形態である印刷イメージ表示装置１における表示制御処理の処理フローを示したフローチャートである。
【０１０１】
ＣＰＵ１１の表示制御部１１ｃは、表示順位決定部１１ｂにより生成された組合表が示す表示順位で、インク色ＩＤの組合せに基づいて、表示部１４に一覧表示させるための縮小印刷イメージ画像を生成する（ステップＳ４０１）。
【０１０２】
そして、表示制御部１１ｃは、ステップＳ４０１において生成された縮小印刷イメージ画像を表示部１４に表示させる（ステップＳ４０２）。
【０１０３】
次に、表示制御部１１ｃは、インク色ＩＤの全ての組合せの縮小印刷イメージ画像が表示部１４に表示されたと判定した場合、処理を終了する（ステップＳ４０３）。具体的には、選択されるインク色数を“ｒ”、印刷装置２が印刷可能なインク色数を“ｎ”とした場合、表示した縮小印刷イメージ画像ｘは、以下の数式２を満たす場合、インク色ＩＤの全ての組合せの縮小印刷イメージ画像が表示部１４に表示されたと判定する。
ｘ＞ｎＰｒ    ・・・（数式２）
【０１０４】
図１５は、本発明の一実施形態である印刷イメージ表示装置１が備える表示部１４に表示された縮小印刷イメージ画像一覧表示画面の一例を示している。
【０１０５】
図１５に示すように、縮小印刷イメージ画像一覧表示画面８００には、組合表が示す表示順位で、インク色ＩＤの組合せに基づいて、縮小印刷イメージ画像８０１〜８０６が表示されている。
【０１０６】
縮小印刷イメージ画像８０１は、表示順位が１位の縮小印刷イメージ画像であり、第１色目のインク色で表示された第１画像８０１ａと、第２色目のインク色で表示された第２画像８０１ｂとの組合せとして表示されている。
【０１０７】
図１３に示した組合表の例では、第１色目のインク色“ＢＢＢ”と、第２色目のインク色“ＣＣＣ”とに基づいて生成された縮小印刷イメージ画像が表示される。
【０１０８】
そして、図１３に示した組合表の表示順位に従って、行毎に向かって左方向又は下方向に縮小印刷イメージ画像８０１〜８０６が表示されている。
【０１０９】
以上のように、本発明の一実施形態である印刷イメージ表示装置１によれば、インク残量情報、基準インク色情報、利用者嗜好情報、及び項目優先度情報に基づいて、インク色の基本優先度情報を生成し、この基本優先度情報に基づいて、インク色ＩＤの組合せの表示順位を示す組合表を生成し、この組合表に基づいて、インク色ＩＤの組合せにより生成された縮小印刷イメージ画像を、表示順位に基づいて表示部１４に一覧表示させる。これにより、利用者が選択する可能性の高い縮小印刷イメージ画像や、インク残量の多いインク色の縮小印刷イメージ画像ほど、項目優先度に応じて表示順位が早くなるので、多数の印刷イメージ画像を適切な順番で一覧表示することができ、利用者は、多数の縮小印刷イメージ画像の中から、利用者が所望の縮小印刷イメージ画像を簡単に選択することができる。
【０１１０】
なお、本発明の一実施形態である印刷イメージ表示装置１が適用された印刷システム１０が備える印刷装置２は、２つのドラムを備え、３色のインク色の中から選択された２色のインク色を用いて印刷可能な孔版印刷装置を例に挙げて説明したが、これに限らず、複数のインク色の中から選択された複数のインク色を用いて印刷可能な印刷装置であればよい。例えば、５色のインク色の中から選択された４色のインク色を用いて印刷可能なインクジェット式印刷装置や、１つのドラムを備え、４色のインク色の中から選択された３色のインク色を用いて印刷可能な孔版印刷装置でもよい。ここで、１つのドラムで複数のインク色を用いて印刷する場合、製版し、製版された孔版原紙を回転するドラムに巻き付け、孔版原紙に製版された画像を印刷画像として印刷用紙に所定枚数転写した後、ドラムに巻き付けられた孔版原紙を取り外すという一連の工程を繰り返すようにしてもよい。
【図面の簡単な説明】
【０１１１】
【図１】本発明の一実施形態である印刷イメージ表示装置が適用された印刷システムの構成を示した構成図である。
【図２】本発明の一実施形態である印刷イメージ表示装置の構成を示した構成図である。
【図３】本発明の一実施形態である印刷イメージ表示装置に備えられたインク残量情報テーブル記憶部に記憶されたインク残量情報テーブルの一例を示した図である。
【図４】本発明の一実施形態である印刷イメージ表示装置に備えられた基準インク色情報テーブル記憶部に記憶された基準インク色情報テーブルの一例を示した図である。
【図５】本発明の一実施形態である印刷イメージ表示装置に備えられた利用者嗜好情報テーブル記憶部に記憶された利用者嗜好情報テーブルの一例を示した図である。
【図６】本発明の一実施形態である印刷イメージ表示装置に備えられた表示部に表示された優先アルゴリズム判定画面の一例を示した図である。
【図７】本発明の一実施形態である印刷イメージ表示装置に備えられた項目優先度記憶部に記憶された項目優先度情報の一例を示した図である。
【図８】本発明の一実施形態である印刷イメージ表示装置に備えられた基本優先度記憶部に記憶された基本優先度情報の一例を示した図である。
【図９】本発明の一実施形態である印刷イメージ表示装置におけるメインフローの処理を示したフローチャートである。
【図１０】本発明の一実施形態である印刷イメージ表示装置における基本優先度生成処理の処理フローを示したフローチャートである。
【図１１】本発明の一実施形態である印刷イメージ表示装置における表示順位決定処理の処理フローを示したフローチャートである。
【図１２】本発明の一実施形態である印刷イメージ表示装置に備えられた表示順位決定部により生成された中間組合表の一例を示した例である。
【図１３】本発明の一実施形態である印刷イメージ表示装置に備えられた表示順位決定部により生成された組合表の一例を示した例である。
【図１４】本発明の一実施形態である印刷イメージ表示装置における表示制御処理の処理フローを示したフローチャートである。
【図１５】本発明の一実施形態である印刷イメージ表示装置に備えられた表示部により表示された縮小印刷イメージ画像一覧表示画面の一例を示している。
【符号の説明】
【０１１２】
１…印刷イメージ表示装置
２…印刷装置
５…ネットワーク
１０…印刷システム
１１…ＣＰＵ
１１ａ…基本優先度生成部
１１ｂ…表示順位決定部
１１ｃ…表示制御部
１２…メモリ
１３…入力部
１４…表示部
１５…印刷インタフェース部
１６…第１のハードディスク（情報テーブル記憶部）
１６ａ…インク残量情報テーブル記憶部
１６ｂ…基準インク情報テーブル記憶部
１６ｃ…利用者嗜好情報テーブル記憶部
１７…第２のハードディスク
１７ａ…項目優先度記憶部
１７ｂ…基本優先度記憶部
２０…バス
【図１】
2010076151.tif 000003
【図２】
2010076151.tif 000004
【図３】
2010076151.tif 000005
【図４】
2010076151.tif 000006
【図５】
2010076151.tif 000007
【図６】
2010076151.tif 000008
【図７】
2010076151.tif 000009
【図８】
2010076151.tif 000010
【図９】
2010076151.tif 000011
【図１０】
2010076151.tif 000012
【図１１】
2010076151.tif 000013
【図１２】
2010076151.tif 000014
【図１３】
2010076151.tif 000015
【図１４】
2010076151.tif 000016
【図１５】
2010076151.tif 000017